(57)【要約】【課題】女性や身長の低い人が神輿担ぎを楽しむことができ、かつ神輿を担ぐ際に肩にかかる衝撃を緩和し、肩の打撲及び擦過傷等を防止する効果を有する神輿を担ぐための補助具（アジャスター部材）を提供する。【解決手段】木製板材の両端部近傍を除く両面にウレタン樹脂製シート材料を少なくとも２枚貼付し、前記ウレタン樹脂製シート材料の神輿の荷重を受ける面及び肩に当接する面が凹凸加工されている直方体形状の基礎体を布材で被覆し、前記木製板材の両端部近傍の孔に通したループ状の紐により肩にかけて保持し、必要時に肩に当てて使用されるアジャスター部材。【選択図】図１
2015073687.tif 000002
【特許請求の範囲】
【請求項１】
木製板材の両端部近傍を除く両面に直方体形状のウレタン樹脂製材料からなる基礎体を取り付け布材で被覆してなる、神輿を担ぐ際に肩に当てて使用されるアジャスター部材。
【請求項２】
木製板材の両端部近傍を除く両面にウレタン樹脂製シート材料を少なくとも２枚貼付してなる直方体形状の基礎体を布材で被覆してなる、神輿を担ぐ際に肩に当てて使用されるアジャスター部材。
【請求項３】
前記基礎体の、神輿の荷重を受ける面（上面）及び肩に当接する面（下面）が凹凸加工されている請求項１または２に記載のアジャスター部材。
【請求項４】
前記凹凸加工部の溝の形状は、シート材の側面図における溝上部の幅が５〜７ｍｍ、深さが上面から大旨５ｍｍのＶ字状である請求項３に記載のアジャスター部材。
【請求項５】
前記直方体形状の基礎体の幅が８〜１２ｃｍ、長さが１５〜２１ｃｍ、高さが８〜１２ｃｍである請求項１〜４のいずれかに記載のアジャスター部材。
【請求項６】
前記木製板材の両端部近傍に肩紐を通すための孔が設けられている請求項１〜５のいずれかに記載のアジャスター部材。
【請求項７】
前記直方体形状の基礎体を被覆する布材を、さらに和柄模様を有する外装用の装飾布で被覆した請求項１〜６のいずれかに記載のアジャスター部材。
【請求項８】
前記木製の板材の両端部近傍に設けた孔に通したループ状の紐により肩にかけて保持し、必要時に肩に当てて使用される請求項１〜７のいずれかに記載のアジャスター部材。
【発明の詳細な説明】
【技術分野】
【０００１】
本発明は女性や身長の低い人が神輿を担ぐためのアジャスター部材に関する。さらに詳しく言えば、女性や身長の低い人の肩に裁置することにより、神輿の荷重を受けて神輿を担ぐことが可能となり、かつ神輿を担ぐときの肩にかかる衝撃を緩和し、肩の打撲及び擦過傷等を防止して神輿担ぎを楽しむことができるアジャスター部材に関する。
【背景技術】
【０００２】
伝統的祭りで実施される神輿渡行は極めて人気の高い行事ではあるが、一般に、男性が担ぐ神輿渡行には女性や身長の低い人は参加できず、神輿を楽しむことは出来なかった。また、神輿を担ぐ際には肩にかかる負担が大きく、重いものを肩に担ぐ機会が少ない若年者は肩の打撲や擦過傷等の危険もあるために神輿担ぎを敬遠する傾向があり、神輿担ぎによる打撲や擦過傷事故などのない補助具が求められていた。
【０００３】
神輿担ぎによる打撲や擦過傷事故を防止する目的では、神輿用の肩パッドとして、綿を詰めた蒲団状のものを肩に当てて紐で固定するもの（特開平２００４−１７６２３７号公報；特許文献１）等が提案されてはいるが、身長が低い人が神輿担ぎに参加できる補助具はこれまで提案されていない。
【先行技術文献】
【特許文献】
【０００４】
【特許文献１】特開平２００４−１７６２３７号公報
【発明の概要】
【発明が解決しようとする課題】
【０００５】
したがって、本発明の目的は、肩に裁置することにより神輿の荷重を受けて神輿を担ぐことが可能となるため女性や身長の低い人でも神輿担ぎを楽しむことができ、かつ神輿を担ぐ際に肩にかかる衝撃を緩和し、肩の打撲及び擦過傷等を防止する効果を有する神輿を担ぐための補助具であるアジャスター部材を提供することにある。
【課題を解決するための手段】
【０００６】
すなわち、本発明は下記［１］〜［8］の神輿荷重負担軽減用アジャスター部材関する。
［１］  木製板材の両端部近傍を除く両面に直方体形状のウレタン樹脂製材料からなる基礎体を取り付け布材で被覆してなる、神輿を担ぐ際に肩に当てて使用されるアジャスター部材。
［２］  木製板材の両端部近傍を除く両面にウレタン樹脂製シート材料を少なくとも２枚貼付してなる直方体形状の基礎体を布材で被覆してなる、神輿を担ぐ際に肩に当てて使用されるアジャスター部材。
［３］  前記基礎体の、神輿の荷重を受ける面（上面）及び肩に当接する面（下面）が凹凸加工されている前項１または２に記載のアジャスター部材。
［４］  前記凹凸加工部の溝の形状は、シート材の側面図における溝上部の幅が５〜７ｍｍ、深さが上面から大旨５ｍｍのＶ字状である前項３に記載のアジャスター部材。
［５］  前記直方体形状の基礎体の幅が８〜１２ｃｍ、長さが１５〜２１ｃｍ、高さが８〜１２ｃｍである前項１〜４のいずれかに記載のアジャスター部材。
［６］  前記木製板材の両端部近傍に肩紐を通すための孔が設けられている前項１〜５のいずれかに記載のアジャスター部材。
［７］  前記直方体形状の基礎体を被覆する布材を、さらに和柄模様を有する外装用の装飾布で被覆した前項１〜６のいずれかに記載のアジャスター部材。
［８］前記木製の板材の両端部近傍に設けた孔に通したループ状の紐により肩にかけて保持し、必要時に肩に当てて使用される前項１〜８のいずれかに記載のアジャスター部材。
【発明の効果】
【０００７】
本発明のアジャスター部材を用いることにより、女性や身長の低い人も神輿を担ぐ神輿渡りに参加して、楽しむことが出来る。また、神輿を担ぐときの肩にかかる衝撃を緩和し、肩の打撲及び擦過傷等を防止することが出来る。
【図面の簡単な説明】
【０００８】
【図１】肩紐を備えた本発明のアジャスター部材を肩に載置した状態を示す。
【図２】本発明のアジャスター部材を作製する実施例の工程を示し、（Ａ）は板材の斜視図、（Ｂ）はウレタンシートの斜視図、（Ｃ）は片面に凹凸を有するウレタンシートの斜視図、（Ｄ）は（Ｃ）図のウレタンシートの側面図、（Ｅ）は板材に（Ｂ）のウレタンシート材と（Ｃ）のウレタンシートを貼り付けた、両面に凹凸を有するウレタンシートを有するアジャスター基礎体（５）の斜視図である。
【発明を実施するための形態】
【０００９】
以下に、本発明のアジャスター部材を作製する実施態様を添付の図２（Ａ）〜（Ｅ）を参照しつつ、本発明を詳しく説明する。
長矩形状の木製の板材（１）を用意する。大きさは、例えば、幅８〜１０ｃｍ（サンプルは９ｃｍ）、長さ２１〜２５ｃｍ（サンプルは２３ｃｍ）、厚さ１．５ｃｍ〜３ｃｍである。木製の板材は２枚以上の板を上記の厚みに貼り合わせたものでもよい。長さ方向の両端部近傍に、肩紐を通すための内径１〜１．５ｃｍの孔が開けられている。孔は、通した肩紐をループ状に結びためのものであり、各端部近傍に１または２個、好ましくは図２（Ａ）に示したように一端に１個（１ａ）、他端に２個（１ｂ，１ｃ）設けることが好ましい。
ウレタン樹脂シート材（以下、ウレタンシートと略記することがある。）を用意する。ウレタン樹脂シートの材料としては特に限定されないが、軽量で高い反発力を有し、繰り返し使用出来るポリウレタン樹脂であって、中でも発泡ポリウレタン樹脂が好ましい。
【００１０】
ウレタン樹脂シートの大きさは、幅が上記木製板材の幅と同一の幅（８〜１２ｃｍ）であり、長さは、上記木製板材上の中心部に重ねたときに、板材の両端部近傍が約２．５ｃｍ露出する、１６〜２０ｃｍであり、厚みは１．５〜２．５ｃｍである。
【００１１】
ウレタンシートは、図２（Ｂ）に斜指図を示すものと図２（Ｃ）に斜指図を示すもおの２種類を使用する。後者は、神輿を担ぐ際に荷重を受ける面（上面）及び肩に当接する面（下面）に相当するシート（２ａ）の面には凹凸加工（３）が施されている。（Ｃ）図に示すシートに施される凹凸加工のピッチ（間隔）は、特に限定されないが、例えば縦方向に3本、幅方向に4本を格子状に設ける。凹凸部の溝の形状は、例えばシート材の側面図（Ｄ）を示すように、上部の溝幅が５〜７ｍｍ、溝の深さが上面から大旨５ｍｍのＶ字の形状とする。
【００１２】
次に、前記板材（１）の長さ方向の孔を備えた両端部近傍を除く中央部の両面に、ウレタンシート（２）を接着剤あるいは接着用両面テープを利用して貼り付ける。さらにその両面に前記凹凸加工が施されているウレタン樹脂シート（２ａ）の凹凸加工（３）面が外表面になるように貼り付ける。これにより、木製板材（１）の両端部に孔（１ａ，１ｂ，１ｃ）を備え、中心材として木製板材を有し、ウレタン樹脂部の幅が８〜１２ｃｍ、長さが１６〜２０ｃｍ、高さが８〜１２ｃｍの直方体形状のアジャスター基礎体が出来上がる（図２（Ｅ））。この基礎体は、さらに板材の孔を含む両端部近傍を除く直方体の全面を、布で覆い、好ましくは、さらにその上を、外装カバー（祭り用神輿に相応しい和柄模様の装飾布等）で覆うことにより、アジャスター部材が完成する。
【００１３】
前記木製板の両端部近傍の孔（１ａ，１ｂ，１ｃ）には、アジャスター部材を肩に掛けて保持出来る長さの肩掛け用の紐（肩紐）を通しループ状に結ぶ。肩紐としては、特に限定されるものではないが、天然繊維や化学繊製の糸を縄状に縫ったものが使用される。
【００１４】
このアジャスター部材は、前記ループ状の紐により肩にかけて保持し、必要時（神輿を担ぐときに）肩に当てて使用される。図１に肩紐を備えた本発明のアジャスター部材を肩に載置した状態の写真を示す。
本発明のアジャスター部材においては、外装カバー及び肩紐は、使用者或いは使用者団体の好みによって柄、素材等を嗜好に合わせて、例えば帯と対、手拭いと対又は仲間・会等で揃えるなどして神輿担ぎを楽しむことができる。
【産業上の利用可能性】
【００１５】
本発明の神輿用アジャスター部材により、女性や身長の低い人でも、これを肩に裁置することにより、神輿の荷重を受ける（神輿を担ぐ）ことが可能となり、かつ神輿を担ぐときの肩にかかる衝撃を緩和し、肩の打撲及び擦過傷等を防止して神輿担ぎを楽しむことができる。
【符号の説明】
【００１６】
１  板材
１ａ，１ｂ，１ｃ  孔
２  ウレタンシート材
３  凹凸加工面
４  アジャスター基礎体
【図１】
2015073687.tif 000003
【図２】
2015073687.tif 000004